(57)【要約】【課題】無線通信システムにおけるデータ転送方法を提供する。【解決手段】無線通信システムにおけるコードシーケンスを通じたデータ転送方法において、入力データ列を少なくとも１つ以上のビットからなる複数のブロックにグルーピングし、各ブロックを対応するシグネチャーシーケンスにマッピングする段階と、複数のブロックがマッピングされたシグネチャーシーケンス列（ｓｉｇｎａｔｕｒｅ  ｓｅｑｕｅｎｃｅ  ｓｔｒｅａｍ）に特定コードシーケンスを乗算する段階と、特定コードシーケンスの乗算されたシグネチャーシーケンス列を受信側に転送する段階と、を含む構成とした。【選択図】図１６
2009540665.tif 000002
【特許請求の範囲】
【請求項１】
無線通信システムにおけるランダムアクセスチャネルを通じたデータ転送方法であって、
コードシーケンスに指数シーケンスを乗算することによって新たなコードシーケンスを生成する段階と、
前記新たなコードシーケンスを受信側に転送する段階と、
を含む、データ転送方法。
【請求項２】
前記コードシーケンスが、ＣＡＺＡＣ（ｃｏｎｓｔａｎｔ  Ａｍｐｌｉｔｕｄｅ  Ｚｅｒｏ  Ａｕｔｏｃｏｒｒｅｌａｔｉｏｎ）シーケンスであることを特徴とする、請求項１に記載のデータ転送方法。
【請求項３】
前記コードシーケンスが、プリアンブル（ｐｒｅａｍｂｌｅ）として転送されることを特徴とする、請求項１または２に記載のデータ転送方法。
【請求項４】
無線通信システムにおけるコードシーケンスを通じたデータ転送方法であって、
少なくとも２つ以上のブロックに区画されたコードシーケンスによって所定の情報を表現するために少なくとも一つ以上のブロックを共役化（ｃｏｎｊｕｇａｔｉｏｎ）する段階と、
前記少なくとも一つ以上のブロックが共役化されたコードシーケンスを受信側に転送する段階と、
を含むことを特徴とする、データ転送方法。
【請求項５】
前記コードシーケンスが、ＣＡＺＡＣシーケンスであることを特徴とする、請求項４に記載のデータ転送方法。
【請求項６】
無線通信システムでコードシーケンスを通じたデータ転送方法であって、
それぞれ少なくとも一つ以上の情報ビット（ｉｎｆｏｒｍａｔｉｏｎ  ｂｉｔ）とマッピングされる少なくとも２つ以上の第１コードシーケンスを結合し、所定の情報を表現する第２コードシーケンスを生成する段階と、
前記第２コードシーケンスを受信側に転送する段階と、
を含むことを特徴とする、データ転送方法。
【請求項７】
前記第１コードシーケンスが、ＣＡＺＡＣシーケンスであることを特徴とする、請求項６に記載のデータ転送方法。
【請求項８】
前記第１コードシーケンスのそれぞがｎビットの情報ビットとマッピングされる場合、前記少なくとも２つ以上の第１コードシーケンスは２ｎ個の第１コードシーケンスからなるシーケンスグループから選択されることを特徴とする、請求項６に記載のデータ転送方法。
【請求項９】
前記少なくとも２つ以上の第１コードシーケンスの結合は、
前記少なくとも２つ以上の第１コードシーケンスのそれぞれに所定の遅延（ｄｅｌａｙ）をおいてそれぞれを合算することによってなることを特徴とする、請求項６に記載のデータ転送方法。
【請求項１０】
無線通信システムにおけるコードシーケンス転送方法であって、
基本コードシーケンスと前記基本コードシーケンスを位相回転（ｃｉｒｃｕｌａｒ  ｓｈｉｆｔ）させた少なくとも１つ以上のコードシーケンスを合算して結合コードシーケンスを生成する段階と、
前記結合コードシーケンスを受信側に転送する段階と、
を含むことを特徴とする、コードシーケンス転送方法。
【請求項１１】
前記基本コードシーケンス及び前記少なくとも１つ以上のコードシーケンスのそれぞれが、少なくとも１ビット以上の情報ビットを意味することを特徴とする、請求項１０に記載のコードシーケンス転送方法。
【請求項１２】
前記結合コードシーケンス生成段階が、周波数領域（ｆｒｅｑｕｅｎｃｙ  ｄｏｍａｉｎ）で行われることを特徴とする、請求項１０に記載のコードシーケンス転送方法。
【請求項１３】
前記結合コードシーケンス生成段階が、時間領域（ｔｉｍｅ  ｄｏｍａｉｎ）で行われることを特徴とする、請求項１０に記載のコードシーケンス転送方法。
【請求項１４】
前記結合コードシーケンスが、ランダムアクセスチャネル（ＲＡＣＨ）を通じて転送されることを特徴とする、請求項１０に記載のコードシーケンス転送方法。
【請求項１５】
前記少なくとも１つ以上のコードシーケンスが、前記基本コードシーケンスを位相回転単位（ｃｉｒｃｕｌａｒ  ｓｈｉｆｔ  ｕｎｉｔ）の整数倍だけ位相回転させたものであることを特徴とする、請求項１０に記載のコードシーケンス転送方法。
【請求項１６】
無線通信システムにおけるコードシーケンス転送方法であって、
第１コードシーケンスを少なくとも１回以上反復して連結することによって反復コードシーケンスを生成する段階と、
前記反復コードシーケンスの後端部の一定部分を複写（ｃｏｐｙ）し、前記反復コードシーケンスの前端部に連結させることによってＣＰ（ｃｙｃｌｉｃ  ｐｒｅｆｉｘ）を生成する段階と、
前記ＣＰの生成された反復コードシーケンスを受信側に転送する段階と、
を含むことを特徴とする、コードシーケンス転送方法。
【請求項１７】
前記反復コードシーケンスが、ランダムアクセスチャネルを通じてプリアブルとして転送されることを特徴とする、請求項１６に記載のコードシーケンス転送方法。
【請求項１８】
多重搬送波システムにおけるランダムアクセスチャネル（ＲＡＣＨ）割当方法であって、
各フレームに割り当てられるランダムアクセスチャネルの周波数帯域が互いに重畳しないように少なくとも２つ以上の連続したフレームのそれぞれにランダムアクセスチャネルを割り当てる段階と、
前記各フレームに割り当てられるランダムアクセスチャネルの割当情報を少なくとも１つ以上の端末に転送する段階と、
を含むことを特徴とする、ランダムアクセスチャネル割当方法。
【請求項１９】
前記少なくとも２つ以上の連続したフレームに割り当てられるランダムアクセスチャネルの周波数帯域パターンが、周期的に反復されることを特徴とする、請求項１８に記載のランダムアクセスチャネル割当方法。
【請求項２０】
前記割当情報が、前記少なくとも２つ以上の連続したフレームに割り当てられたランダムアクセスチャネルの周波数帯域のホッピングパターン（ｈｏｐｐｉｎｇ  ｐａｔｔｅｒｎ）を含むことを特徴とする、請求項１８に記載のランダムアクセスチャネル割当方法。
【請求項２１】
全体ランダムアクセスチャネルが、前記少なくとも２つ以上の連続したフレームのそれぞれに均等に割り当てられることを特徴とする、請求項１８に記載のランダムアクセスチャネル割当方法。
【請求項２２】
ランダムアクセスチャネルが割り当てられた少なくとも１つ以上のサブフレームに端末がパイロット信号を転送するためのチャネル領域を割り当てる段階をさらに含むことを特徴とする、請求項１８に記載のランダムアクセスチャネル割当方法。
【請求項２３】
前記ランダムアクセスチャネルを通じてランダムアクセスを試みる端末が、前記チャネル領域を通じてパイロット信号を転送することを特徴とする、請求項２２に記載のランダムアクセスチャネル割当方法。
【請求項２４】
無線通信システムにおけるコードシーケンスを通じたデータ転送方法であって、
入力データ列を少なくとも１つ以上のビットからなる複数のブロックにグルーピングし、各ブロックを対応するシグネチャーシーケンスにマッピングする段階と、
前記複数のブロックがマッピングされたシグネチャーシーケンス列（ｓｉｇｎａｔｕｒｅ  ｓｅｑｕｅｎｃｅ  ｓｔｒｅａｍ）に特定コードシーケンスを乗算する段階と、
前記特定コードシーケンスの乗算されたシグネチャーシーケンス列を受信側に転送する段階と、
を含むことを特徴とする、データ転送方法。
【請求項２５】
前記特定コードシーケンスが、単一ＣＡＺＡＣシーケンス（ｓｉｎｇｌｅ  ＣＡＺＡＣ  ｓｅｑｕｅｎｃｅ）であることを特徴とする、請求項２４に記載のデータ転送方法。
【請求項２６】
前記特定コードシーケンスが、少なくとも２つ以上の相異なるＣＡＺＡＣシーケンスが連結（ｃｏｎｃａｔｅｎａｔｉｏｎ）されたシーケンスであることを特徴とする、請求項２４に記載のデータ転送方法。
【請求項２７】
前記シグネチャーシーケンスが、指数シーケンス（ｅｘｐｏｎｅｎｔｉａｌ  ｓｅｑｕｅｎｃｅ）であることを特徴とする、請求項２４に記載のデータ転送方法。
【請求項２８】
前記シグネチャーシーケンスが、ハダマードシーケンスであることを特徴とする、請求項２４に記載のデータ転送方法。
【請求項２９】
前記複数のブロックがマッピングされたシグネチャーシーケンス列の長さを前記特定コードシーケンスの長さに整合させるために各シグネチャーシーケンスを反復する段階をさらに含むことを特徴とする、請求項２４に記載のデータ転送方法。
【請求項３０】
前記シグネチャーシーケンスマッピングは、グレーマッピング（Ｇｒａｙ  ｍａｐｐｉｎｇ）であることを特徴とする、請求項２４に記載のデータ転送方法。
【発明の詳細な説明】
【技術分野】
【０００１】
本発明は、無線通信システムに係り、より詳細には、無線通信システムにおけるコードシーケンス拡張方法、ランダムアクセスチャネルの構造及びデータ転送方法に関する。
【背景技術】
【０００２】
ランダムアクセスチャネル（ＲＡＣＨ：Ｒａｎｄｏｍ  Ａｃｃｅｓｓ  Ｃｈａｎｎｅｌ）は、端末が基地局とアップリンク（ｕｐｌｉｎｋ）同期ができていない状態でネットワークに接近するために使われる。このようなランダムアクセスチャネルでは、受信側で転送信号の開始位置を容易に検索できるように時間領域で反復特性を持つ信号が使われるが、一般的にプリアンブル（ｐｒｅａｍｂｌｅ）を繰り返し転送することによって反復特性を具現する。
【０００３】
このプリアンブルを具現するための代表的なシーケンスとしてＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスを挙げることができる。ＣＡＺＡＣシーケンスは、自己相関（ａｕｔｏ−ｃｏｒｒｅｌａｔｉｏｎ）ではディラック−デルタ（Ｄｉｒａｃ−Ｄｅｌｔａ）関数で表現され、交差相関（ｃｒｏｓｓ−ｃｏｒｒｅｌａｔｉｏｎ）では定数値を持つことから、優れた転送特性を持つものと評価されている。しかし、長さＮのシーケンスに対して最大Ｎ−１個のシーケンスしか使用できないという限界があり、上記の優れた特性をそのまま維持しながらシーケンスの使用可能ビット数を増やすための方案が要求されている。
【０００４】
一方、ＣＡＺＡＣシーケンスを用いてランダムアクセスチャネルでデータを転送するための様々な方法が提示されている。その第１方法は、ＣＡＺＡＣシーケンスＩＤを直接メッセージ情報として解釈するものである。しかし、第１方法において転送しようとするデータがプリアンブルであるとすれば、プリアンブルとして使用できるシーケンスの数が十分に多い場合では追加の操作無しでＣＡＺＡＣシーケンスＩＤのみでメッセージを伝達できるが、実際同期式ＲＡＣＨでは追加情報を伝達する方法も考慮しなければならないので、充分の数のＣＡＺＡＣシーケンス集合を具現する上で難があり、受信側で検出にかかるコストも相当高くなるという問題がある。
【０００５】
第２方法は、ＣＡＺＡＣシーケンスとウォルシュ（Ｗａｌｓｈ）シーケンスをコード分割多重化（ｃｏｄｅ  ｄｉｖｉｓｉｏｎ  ｍｕｌｔｉｐｌｅｘｉｎｇ：ＣＤＭ）方式で同時に転送するもので、ＣＡＺＡＣシーケンスＩＤは端末区分情報として活用し、ＣＤＭ方式で転送されたウォルシュシーケンスはメッセージ情報として解釈する。図１は、第２方法を具現するための送信側のブロック構成図である。しかし、第２方法は、ＣＡＺＡＣシーケンスにウォルシュシーケンスが加えられても追加に確保できるメッセージのビット数は、ウォルシュシーケンスの長さがＮの時にｌｏｇ２Ｎビット（ｂｉｔ）にすぎないという限界がある。
【０００６】
第３方法は、ＣＡＺＡＣシーケンスにウォルシュシーケンスをミキシングして転送するもので、ＣＡＺＡＣシーケンスＩＤは端末区分情報としてし活用し、ウォルシュシーケンスはメッセージ情報として解釈する。図２は、第３方法を具現するための送信側におけるデータ処理手順を示すブロック図である。しかし、第３方法は、ウォルシュシーケンスがＣＡＺＡＣシーケンスの検出に雑音として作用するからシーケンスＩＤの検出に難があり、これを防止するために必ず反復シーケンスとして転送されなければならないという限界がある。
【０００７】
第４方法は、ＣＡＺＡＣシーケンスに指数（ｅｘｐｏｎｅｎｔｉａｌ）ターム（ｔｅｒｍ）を乗算して該当のシーケンスを構成するブロック間に直交性を付与したり、ＤＰＳＫ、ＤＱＰＳＫ、Ｄ８ＰＳＫなどのデータ変調を直接適用するもので、ＣＡＺＡＣシーケンスＩＤは端末区分情報として活用し、変調されたシーケンスを復調してメッセージ情報として活用する。図３Ａは、前者の方法によるデータ変調を説明するための図で、図３Ｂは、後者の方法によるデータ変調を説明するための図である。
【０００８】
また、第５方法は、ＣＡＺＡＣシーケンスにメッセージ部分を付け加えて転送するもので、図４Ａは、プリアンブルとして用いられるＣＡＺＡＣシーケンスにメッセージ（コーディングされたビット）が付け加えられた場合を示しており、図４Ｂは、直交性の付与された所定個数のブロックで構成されるシーケンスにメッセージ（コーディングされたビット）が付け加えられた場合を示している。
【０００９】
しかしながら、上記の第４方法及び第５方法とも、チャネル環境の変化に敏感であるという問題がある。
【発明の開示】
【発明が解決しようとする課題】
【００１０】
本発明は上記の問題点を解決するためのもので、その目的は、端末と基地局間にメッセージを送受信する際に、長いシーケンス（ｌｏｎｇ  ｓｅｑｕｅｎｃｅ）を用いてメッセージを伝達することによって、時間／周波数ダイバーシティを最大化する一方で、チャネルの影響による性能減衰現象を緩和するための法案を提供することにある。
【００１１】
本発明の他の目的は、無線通信システムでコードシーケンスを通じてデータを転送する際に、転送する情報量を増大させることができ、かつ、転送データがノイズやチャネル変化に強いものとすることができるデータ転送方法を提供することにある。
【００１２】
本発明のさらに他の目的は、多重搬送波を使用するシステムで効率的なランダムアクセスチャネルの構造を提示する方案を提供することにある。
【００１３】
本発明のさらに他の目的は、無線通信システムで端末がランダムアクセスチャネルに接近する時間を最小化できる方案を提供することにある。
【課題を解決するための手段】
【００１４】
上記の目的を達成すするための本発明の一様相として、本発明によるデータ転送方法は、無線通信システムにおけるランダムアクセスチャネルを通じたデータ転送方法において、コードシーケンスに指数シーケンスを乗算することによって新たなコードシーケンスを生成する段階と、前記新たなコードシーケンスを受信側に転送する段階と、を含む。
【００１５】
本発明の他の様相として、本発明によるデータ転送方法は、無線通信システムにおけるコードシーケンスを通じたデータ転送方法において、少なくとも２つ以上のブロックに区画されたコードシーケンスによって所定の情報を表現するために少なくとも一つ以上のブロックを共役化（ｃｏｎｊｕｇａｔｉｏｎ）する段階と、前記少なくとも一つ以上のブロックが共役化されたコードシーケンスを受信側に転送する段階と、を含む。
【００１６】
本発明のさらに他の様相として、本発明によるデータ転送方法は、無線通信システムでコードシーケンスを通じたデータ転送方法であって、それぞれ少なくとも一つ以上の情報ビット（ｉｎｆｏｒｍａｔｉｏｎ  ｂｉｔ）とマッピングされる少なくとも２つ以上の第１コードシーケンスを結合し、所定の情報を表現する第２コードシーケンスを生成する段階と、前記第２コードシーケンスを受信側に転送する段階と、を含む。
【００１７】
本発明のさらに他の様相として、本発明によるコードシーケンス生成方法は、無線通信システムにおけるコードシーケンス転送方法において、基本コードシーケンスと前記基本コードシーケンスを位相回転（ｃｉｒｃｕｌａｒ  ｓｈｉｆｔ）させた少なくとも１つ以上のコードシーケンスを合算して結合コードシーケンスを生成する段階と、前記結合コードシーケンスを受信側に転送する段階と、を含む。
【００１８】
本発明のさらに他の様相として、本発明によるコードシーケンス生成方法は、無線通信システムにおけるコードシーケンス転送方法において、第１コードシーケンスを少なくとも１回以上反復して連結することによって反復コードシーケンスを生成する段階と、前記反復コードシーケンスの後端部の一定部分を複写（ｃｏｐｙ）し、前記反復コードシーケンスの前端部に連結させることによってＣＰ（ｃｙｃｌｉｃ  ｐｒｅｆｉｘ）を生成する段階と、前記ＣＰの生成された反復コードシーケンスを受信側に転送する段階と、を含む。
【００１９】
本発明のさらに他の様相として、本発明によるランダムアクセスチャネル割当方法は、多重搬送波システムにおけるランダムアクセスチャネル（ＲＡＣＨ）割当方法において、各フレームに割り当てられるランダムアクセスチャネルの周波数帯域が互いに重畳しないように少なくとも２つ以上の連続したフレームのそれぞれにランダムアクセスチャネルを割り当てる段階と、前記各フレームに割り当てられるランダムアクセスチャネルの割当情報を少なくとも１つ以上の端末に転送する段階と、を含む。
【００２０】
本発明のさらに他の様相として、本発明によるデータ転送方法は、無線通信システムにおけるコードシーケンスを通じたデータ転送方法において、入力データ列を少なくとも１つ以上のビットからなる複数のブロックにグルーピングし、各ブロックを対応するシグネチャーシーケンスにマッピングする段階と、前記複数のブロックがマッピングされたシグネチャーシーケンス列（ｓｉｇｎａｔｕｒｅ  ｓｅｑｕｅｎｃｅ  ｓｔｒｅａｍ）に特定コードシーケンスを乗算する段階と、前記特定コードシーケンスの乗算されたシグネチャーシーケンス列を受信側に転送する段階と、を含む。
【発明の効果】
【００２１】
本発明によると、ＲＡＣＨの周波数軸／時間軸上の構造をより明確に把握でき、ＲＡＣＨ資源がフレーム別に均一に分割分布し、特定ＲＡＣＨへの接近に失敗しても直ちに次のフレームのＲＡＣＨに接近できるので、基地局への接近性が向上し、ＱｏＳ（Ｑｕａｌｉｔｙ  ｏｆ  Ｓｅｒｖｉｃｅ）条件が厳しいトラフィック領域でもＲＡＣＨへの接近を容易にすることが可能になる。
【００２２】
本発明によると、端末と基地局間に長いシーケンスを用いて情報を送受信するので、時間／周波数ダイバーシティを最大化でき、かつ、シグネチャー方式を通じてチャネルの影響による性能減殺減少を緩和することが可能になる。
【００２３】
本発明によると、ランダムアクセスチャネルでコードシーケンスの従来長所をそのまま維持しながらも該当のシーケンスの全体長さを全て活用できるので、データ転送をより效率的に行うことが可能になる。なお、コードシーケンスに所定のデータ処理を加えることによって転送する情報量を増大させる一方で、ノイズやチャネルに強いものとすることができる。
【発明を実施するための最良の形態】
【００２４】
以下、添付の図面を参照しつつ説明される本発明の実施例から、本発明の構成、作用及び他の特徴が容易に理解されることができる。
【００２５】
ランダムアクセスチャネル（Ｒａｎｄｏｍ  Ａｃｃｅｓｓ  Ｃｈａｎｎｅｌ：ＲＡＣＨ）は、端末が基地局とアップリンク（ｕｐｌｉｎｋ）同期ができていない状態でネットワークに接近するために使われる。ランダムアクセス方式は、ネットワークへの接近方式によって端末がダウンリンク同期を獲得し、１番目の基地局に接近する方式（ｉｎｉｔｉａｌ  ｒａｎｇｉｎｇ）と、ネットワークに接続された状態で端末の必要によってネットワークに接近する方式（ｐｅｒｉｏｄｉｃ  ｒａｎｇｉｎｇ）とに区分できる。ここで、前者の場合は、端末がネットワークに接続しながら同期をなし、自身に必要なＩＤを受け取るための用途に使われ、後者は、転送するパケットが存在したり基地局から情報を受信するためにプロトコルを初期化（ｉｎｉｔｉａｔｉｏｎ）させるための用途に使われる。
【００２６】
特に、後者の場合は、３ＧＰＰ  ＬＴＥによると、再び２種類に区分できるが、端末がＲＡＣＨに接近する時に、自身のアップリンク（ｕｐｌｉｎｋ）信号が同期限界内にある場合に使用する同期化接近モード（ｓｙｎｃｈｒｏｎｉｚｅｄ  ａｃｃｅｓｓ  ｍｏｄｅ）と、同期限界を外れた場合に使用する非同期化接近モード（ｎｏｎ−ｓｙｎｃｈｒｏｎｉｚｅｄ  ａｃｃｅｓｓ  ｍｏｄｅ）とに区分できる。非同期化接近モードは、端末が最初に基地局に接近する場合や、同期過程を経た後に同期更新（ｕｐｄａｔｅ）がなされていない場合に使われる方式である。この時、同期化接近モードは、上記の周期的接近（ｐｅｒｉｏｄｉｃ  ｒａｎｇｉｎｇ）と同一の概念であり、端末が基地局に自身の変更事項を通報したり資源割当を要請する目的でＲＡＣＨに接近する場合に利用される。
【００２７】
これに対比し、同期化接近モードは、端末が基地局とアップリンク（ｕｐｌｉｎｋ）同期から外れていない状態と仮定し、この仮定によってＲＡＣＨにおいて保護時間（Ｇｕａｒｄ  ｔｉｍｅ）の制限を緩和する。これによってより多くの時間−周波数資源（ｔｉｍｅ−ｆｒｅｑｕｅｎｃｙ  ｒｅｓｏｕｒｃｅ）を使用することができるが、同期化接近モードでランダムアクセス用プリアンブルシーケンス（ｐｒｅａｍｂｌｅ  ｓｅｑｕｅｎｃｅ）に相当量のメッセージ（２４ビット以上）を加えて両者を共に転送するようにすることができる。
【００２８】
以上のような同期及び非同期接近モードを満たしながらＲＡＣＨの固有の役割を果たすための従来のＲＡＣＨ構造について説明すると、下記の通りである。
【００２９】
図５は、従来ＯＦＤＭＡシステムで使われるＲＡＣＨ構造の一例を説明するための図である。図５に示すように、ＲＡＣＨは、セルの半径によって時間軸でＮ個のサブフレーム（ｓｕｂｆｒａｍｅ）に分割され、周波数軸でＭ個の周波数帯域に分割されることがわかる。ＲＡＣＨの生成頻度は、ＭＡＣでのＱｏＳ要求条件に応じて定められるが、通常、一定の周期（数十ｍｓ単位〜数百ｍｓ単位）で１回ずつチャネルが生成される。これは、多数のＲＡＣＨを生成するに当たり、周波数ダイバーシティと時間ダイバーシティ効果を付与すると同時に、ＲＡＣＨを通じてアクセスする端末間の衝突を減らす効果を有する構造である。サブフレームの長さは０．５ｍｓ、１ｍｓなどが使用されることができる。これは、以下同様である。
【００３０】
図５のようなＲＡＣＨ構造において、任意のサブフレームは時間−周波数資源（Ｔｉｍｅ−Ｆｒｅｑｕｅｎｃｙ  Ｒｅｓｏｕｒｃｅ：ＴＦＲ）とされ、データ転送の基本単位となる。図６Ａは、このようなＴＦＲに時間領域でランダムアクセス信号を載せる形態を示しており、図６Ｂは、周波数領域でＲＡＣＨ信号を載せる形態を示している。
【００３１】
図６Ａに示すように、時間領域でランダムアクセス信号を生成する場合には本来のサブフレーム構造が無視され、只ＴＦＲのみを通じて信号を整列して転送する。一方、図６Ｂに示すように、同期式ランダムアクセスの場合は、周波数領域ではサブフレーム構造をある程度維持しながら各ＯＦＤＭシンボルの副搬送波に転送しようとするランダムアクセス信号を生成する。したがって、ＴＦＲをなす各ブロック間に直交性が維持され、チャネル推定も容易に行われることができる。
【００３２】
図７は、ＯＦＤＭＡシステムで使われるＲＡＣＨ構造の他の例を説明するための図である。図７に示すように、添付された広帯域パイロット（ａｔｔａｃｈｅｄ  ｗｉｄｅｂａｎｄ  ｐｉｌｏｔ）のＲＡＣＨバースト区間（ＲＡＣＨ  ｂｕｒｓｔ  ｄｕｒａｔｉｏｎ）のうち、ＴＤＭ／ＦＤＭ方式及びＴＤＭ方式でいずれもプリアンブル‘ｂ’とパイロット‘ａ’とが一部重複するように転送されることがわ分かり、エンベッドされた広帯域パイロット（ｅｍｂｅｄｄｅｄ  ｗｉｄｅｂａｎｄ  ｐｉｌｏｔ）では、ＴＤＭ／ＦＤＭ方式及びＴＤＭ方式でいずれもパイロット‘ａ’、パイロット‘ｂ’のそれぞれがプリアンブル‘ａ’及びプリアンブル‘ｂ’に同時に重複するように転送されることがわかる。言い換えると、ＲＡＣＨを通じてプリアンブルとパイロットを共に転送できるように設計することによって、ＲＡＣＨにメッセージが追加される場合に、チャネル推定を通じてメッセージ復号を容易にしたり、広帯域パイロットを使用することによって、ＲＡＣＨのプリアンブル（ｐｒｅａｍｂｌｅ）が使用する帯域以外のＲＡＣＨ総チャネル帯域に関するチャネル品質情報（Ｃｈａｎｎｅｌ  Ｑｕａｌｉｔｙ  Ｉｎｆｏｒｍａｔｉｏｎ；以下、‘ＣＱＩ’という。）を獲得可能になる。
【００３３】
図８Ａ及び図８Ｂは、ＯＦＤＭＡシステムで使われるＲＡＣＨ構造のさらに他の例を説明するための図である。全体システム帯域が７５個の副搬送波で（に）なされるとする時、
図８Ａに示すように、本実施例で周波数帯域を通じて所定時間プリアンブルを転送するが、一定の周期で短ブロック（ｓｈｏｒｔ  ｂｌｏｃｋ）区間をおき、該当の短ブロックにプリアンブルを復号化するためのパイロットを転送する。この時、パイロット転送を全体周波数帯域の一部の帯域を通じて行うことによって（例えば、全体７５個の副搬送波のうち、中間帯域の２５個の副搬送波を通じて転送）、マルチ接続環境で特定端末にパイロットを転送することができる。
【００３４】
また、図８Ｂに示すように、転送しようとするメッセージとこれを復号化するためのパイロットをマルチプレクシング（ｍｕｌｔｉｐｌｅｘｉｎｇ）して持続して転送するが、全体周波数帯域のうちの選択された一部周波数帯域（例えば、全体７５個の副搬送波帯域のうち中間の２５個の副搬送波帯域）を通じて転送する。したがって、一部周波数帯域を異なる周波数で割り当てることによってマルチ接続をする各使用者端末を区別できる。
【００３５】
図９は、本発明の実施例によるランダムアクセスチャネル（ＲＡＣＨ）の構造を示す図である。
【００３６】
一般に、ＲＡＣＨの生成頻度は、物理チャネル（ＭＡＣ）でのＱｏＳ（Ｑｕａｌｉｔｙ  ｏｆ  Ｓｅｒｖｉｃｅ）要求条件に応じて定められ、セルの要件によって変更可能な周期（数ｍｓ単位〜数百ｍｓ単位）でＲＡＣＨが生成される。このようなＲＡＣＨは、図６Ａ及び図６Ｂを用いて説明したように、時間領域または周波数領域で生成されることができる。図９の実施例では、周波数領域でランダムアクセス信号が生成される場合におけるＲＡＣＨ構造に関するものとする。
【００３７】
図９を参照すると、本実施例では、端末がＲＡＣＨに接近に失敗する場合、再試みまでの間隔が長くなる短所を克服すべく、ＲＡＣＨの発生頻度数とオーバーヘッド（ｏｖｅｒｈｅａｄ）の量が決定されると、該当のＲＡＣＨ資源を１周期内の各フレームに分散して配置する。１周期内に含まれるフレームの個数は、必要によって自由に決定されることができる。このとき、ＲＡＣＨは１周期をなす複数のフレームに対して周波数帯域別に均一に分布するように分割配置されることが好ましい。しかし、システム帯域が小さいか、または、特定のセル要件（同期式動作であるか、セル間干渉（ｉｎｔｅｒ−ｃｅｌｌ  ｉｎｔｅｒｆｅｒｅｎｃｅ）の減少など）によって周波数軸への変化無しで時間軸への位置が変化するか、時間軸への変化無しで周波数軸へのみ変化可能である。また、各フレームに配置されたＲＡＣＨの間隔が最小となるように、周波数及び時間のいずれか一つ以上の位置が変更されても良い。
【００３８】
図９の実施例で、ネットワークは、端末に割り当てられるＲＡＣＨ資源の位置情報を知らせなければならない。言い換えると、ネットワークは、１周期内に含まれる各フレームに対して割り当てられるＲＡＣＨ資源が占める周波数及び時間と関連した情報を各端末に知らせ、各端末は、ネットワークからの情報を用いて割り当てられたＲＡＣＨ資源を通じてランダムアクセスを試みることができる。各フレームのＲＡＣＨ資源の位置情報は、副搬送波オフセット、副搬送波の数、時間オフセット、シンボルの数などによって表現されることができる。ところで、各フレーム上のＲＡＣＨ情報を上記の４つのパラメータによって表現すると情報の量を増加させる虞があり、好ましくないこともある。したがって、各フレーム上で割り当てられるＲＡＣＨの位置情報を表現するための情報の量を減らしうる方案が必要てある。ＲＡＣＨの位置情報は、放送チャネル（ＢＣＨ：Ｂｒｏａｄｃａｓｔ  Ｃｈａｎｎｅｌ）または他のダウンリンク制御チャネル（ｄｏｗｎｌｉｎｋ  ｃｏｎｔｒｏｌ  ｃｈａｎｎｅｌ）を通じて転送されることができる。
【００３９】
その一方法として、ホッピングパターン（ｈｏｐｐｉｎｇ  ｐａｔｔｅｒｎ）を用いた方案を考慮することができる。ここで、ホッピングパターンは、１周期内の各フレームに割り当てられたＲＡＣＨ資源の周波数領域を指示する情報で構成されたパターンのことを意味する。すなわち、図９の実施例では、ＲＡＣＨ資源が１周期をなす複数のフレームに対して周波数帯域別に均一に分布するように分割配置されるので、各フレームにＲＡＣＨ資源として割り当てられうる周波数帯域を指示する指示子を予め定めておき、１周期内の各フレームに割り当てられたＲＡＣＨ資源の周波数帯域を、該当の周波数帯域を指示する指示子によるパターンで知らせることができる。
【００４０】
例えば、１０ＭＨｚの全体帯域を使用するシステムで、４個のフレームを１周期にするとした場合、ＲＡＣＨ位置は、２．５ＭＨｚ間隔のサブ帯域を一つのＲＡＣＨ（１．２５ＭＨｚまたは２．５ＭＨｚよりも小さい帯域）周波数帯域とすることができる。このとき、全体帯域は、４個のサブ帯域で構成され、各サブ帯域を指示する指示子で予め上位周波数帯域から下位周波数帯域へと順次に１，２，３，４を指定することができる。このような方法によって、１周期内の全てのフレームに割り当てられるＲＡＣＨ資源の周波数帯域位置情報は、前記指示子によって構成されるパターン、例えば、（２，３，１，４）によって表現されることができる。ホッピングパターンは、各フレームに対して異なっても良いが、同一に構成されても良い。１周期内の各フレームに割り当てられるＲＡＣＨ資源の時間情報は、通常の場合通り、タイミングオフセットとシンボル数によって表現可能である。このとき、タイミングオフセットとシンボル数のうちの少なくとも一つを固定させることによって、情報の量を減らすことができる。例えば、各フレームのＲＡＣＨ資源に対するタイミングオフセットとシンボル数を固定した値とするように予め約束した場合、ネットワークの立場では端末に１周期内の全てのフレームのＲＡＣＨ資源の位置情報を知らせるためにホッピングパターンのみを転送すれば良い。
【００４１】
各サブ帯域が狭いか、または、端末間の干渉の影響を考慮して全てのフレームに対するホッピングパターンを同一に設定することも可能である。この場合、ネットワーク側は、端末にフレーム周期のみを知らせれば良い。
【００４２】
以下では、図９の実施例のようなＲＡＣＨ構造を用いて端末が基地局にアップリンクデータを転送する過程について説明する。ここで、データの転送は、多数のフレームで構成される逆方向共通チャネルのうち、特にＲＡＣＨを通じて行われることを前提とする。
【００４３】
まず、端末は、自分の一定情報を基地局に伝達するために現在フレームに含まれている分散されたＲＡＣＨに接近を試みる。ここで、もし、接近に成功すると、該当のＲＡＣＨを通じてプリアンブルデータを転送するが、接近に失敗すると、次のフレームに分割配置されたＲＡＣＨに接近を試みる。このとき、次のフレームに含まれたＲＡＣＨは、周波数帯域が充分に広くない場合、または、特別な要件（セル間干渉または端末の動作範囲制限）がない場合、以前フレームのＲＡＣＨと相異なる周波数帯域に配置されることが好ましい。また、上記のような接近手順は、接近に成功するまで次のフレームで継続して行われる。
【００４４】
一方、同期式ＲＡＣＨの場合、各フレームのサブフレームには該当のＲＡＣＨに接近した端末のためのパイロットが割り当てられている短ブロック（Ｓｈｏｒｔ  ｂｌｏｃｋ）が含まれることが好ましい。このような短ブロックには１つ以上のＲＡＣＨパイロット（ＲＡＣＨ  Ｐｉｌｏｔ）とアクセスパイロット（Ａｃｃｅｓｓ  Ｐｉｌｏｔ）が所定のパターンで割り当てられることができる。すなわち、ＲＡＣＨに接近した端末が基地局からチャネルを受け取るためにはチャネルに関する情報を知らなければならないが、このようなチャネル情報は、アップリンク短ブロック（ｕｐｌｉｎｋ  ｓｈｏｒｔ  ｂｌｏｃｋ）内のＲＡＣＨパイロットに設定されることができる。基地局は、該当のＲＡＣＨパイロットを通じて端末に適切なチャネルを割り当てる。一方、ＲＡＣＨに接近する端末の立場からも、ＲＡＣＨパイロットを通じてどのようなチャネルを受け取ると良いかに対するチャネル品質情報を基地局に知らせることができるとしたら、スケジューリングされるときに端末に有利なチャネルが割り当てられることができるので、良質の通信を持続させることもできるという長所がある。
【００４５】
したがって、ＲＡＣＨの含まれたサブフレームでは、ＲＡＣＨに接近する端末が使用できるＲＡＣＨパイロットを別に割り当てておき、ＲＡＣＨに接近する端末は該当のＲＡＣＨを通じて基地局にプリアンブルを送る一方で、指定されたＲＡＣＨパイロットにチャネル品質情報転送用パイロットも共に送る。このＲＡＣＨパイロットは、プリアンブルによって定められるシーケンス（ｓｅｑｕｅｎｃｅ）であり、相異なるプリアンブルシーケンスを使用する端末は、可能な限り、相異なるＲＡＣＨパイロットシーケンスを使用するか、異なる（または一部が重なる形態）副搬送波（ｓｕｂｃａｒｒｉｅｒ）のＲＡＣＨパイロットを選択することが好ましい。
【００４６】
図１０は、ＲＡＣＨパイロットが割り当てられたサブフレームのランダムアクセスチャネル構造を示すものである。ここで、各サブフレームには１つ以上のＲＡＣＨパイロット（ＲＡＣＨ  Ｐｉｌｏｔ）とアクセスパイロット（Ａｃｃｅｓｓ  Ｐｉｌｏｔ）が所定のパターンで割り当てられている短ブロックが一つ以上含まれていることが確認できる。この場合、ＲＡＣＨパイロットは、割り当てられたＲＡＣＨの周波数帯域にのみ存在するのではなく、その他のシステム帯域でも存在することとなる。本実施例では、割当パターンにおいて一つのフレーム当たり２個の短ブロックが存在し、そこにＲＡＣＨパイロットが転送される場合を取り上げたが、ここに限定されず、当業者が自明な範囲内で様々な変形が可能である。
【００４７】
以上では、様々な構造のＲＡＣＨを通じてプリアンブル（ｐｒｅａｍｂｌｅ）と、パイロット情報（ｐｉｌｏｔ）を含む同期タイミング情報（ｔｉｍｉｍｇ  ｉｎｆｏｒｍａｔｉｏｎ）、アップリンク資源割当情報（ｕｐｌｉｎｋ  ｒｅｓｏｕｒｃｅ  ａｌｌｏｃａｔｉｏｎ  ｉｎｆｏｒｍａｔｉｏｎ）及びアップリンクデータ（ｕｐｌｉｎｋ  ｄａｔａ）などのメッセージが転送されうるということについて説明した。
【００４８】
一方、ＲＡＣＨを通じてプリアンブルとメッセージは別個として転送されても良く、プリアンブルにメッセージが含蓄的に（ｉｍｐｌｉｃｉｔｌｙ）含まれて伝達されても良い。本発明の一実施例は、とりわけ後者の方式を通じてプリアンブルを転送する方法に関するものであり、効果的なプリアンブルの転送のために従来に比べて拡張された概念のコードシーケンスを使用することができる。以下では、効果的なプリアンブル転送のための本発明の一実施例によるＣＡＺＡＣシーケンス改善方案について説明する。
【００４９】
ランダムアクセスチャネルでは、受信側が転送信号の開始位置を見つけ出すべき負担があるから、転送信号が時間領域で特定のパターンを持つように設計することが一般的である。このため、プリアンブルを繰り返し転送したり、周波数領域で副搬送波の間に一定の間隔をおくことによって時間領域で反復特性を具現するようにし、これから時間同期を見出すようにしている。
【００５０】
ここで、前者のプリアンブルは、通信システムで初期同期設定、セル探索、周波数オフセット及びチャネル推定などの目的で使われる基準信号（ｒｅｆｅｒｅｎｃｅ  ｓｉｇｎａｌ）を表し、セルラー（ｃｅｌｌｕｌａｒ）移動通信システムではプリアンブルの反復転送のために相互相関特性に優れたシーケンスが使われることが好ましい。このため、２進ハダマードコード（ｂｉｎａｒｙ  ｈａｒｄａｍａｒｄ  ｃｏｄｅ）や多位相（ｐｏｌｙ−ｐｈａｓｅ）ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスが使われることができ、なかでもＣＡＺＡＣシーケンスは、自己相関（ａｕｔｏ−ｃｏｒｒｅｌａｔｉｏｎ）の場合、ディラック−デルタ（Ｄｉｒａｃ−Ｄｅｌｔａ）関数で表現され、交差相関（ｃｒｏｓｓ−ｃｏｒｒｅｌａｔｉｏｎ）では定数値を持つから転送特性に優れているものと評価されている。
【００５１】
ＣＡＺＡＣシーケンスは、下記のように、ＧＣＬシーケンス（式１）とＺａｄｏｆｆ−Ｃｈｕシーケンス（式２）とに大別できる。
【００５２】
【数１】
2009540665.tif 000003
【００５３】
【数２】
2009540665.tif 000004
上記の式から、ＣＡＺＡＣシーケンスは、その長さがＮである場合、実際に使用できるシーケンスはＮ−１個に限定されるということがわかる。したがって、実際システムに効率的に使用するためにはＣＡＺＡＣシーケンスの個数を増やせる方案が必要である。
【００５４】
一実施例として、ＣＡＺＡＣシーケンスｃ（ｋ）に所定のモジュレーションシーケンスｍ（ｋ）を乗算する方式で改善されたＣＡＺＡＣシーケンスｐ（ｋ）を提供することによって、実際に使用可能なシーケンスの個数を１だけ拡張する方法を提案する。すなわち、ＣＡＺＡＣシーケンスとしてＺａｄｏｆｆ−Ｃｈｕシーケンスが使われるとすれば、ＣＡＺＡＣシーケンスｃ（ｋ）、モジュレーションシーケンスｍ（ｋ）及び改善されたＣＡＺＡＣシーケンスｐ（ｋ）は、下記の式３、式４及び式５でそれぞれ定義されることができる。
【００５５】
【数３】
2009540665.tif 000005
【００５６】
【数４】
2009540665.tif 000006
【００５７】
【数５】
2009540665.tif 000007
改善されたＣＡＺＡＣシーケンスｐ（ｋ）は、ＣＡＺＡＣシーケンスの自己相関（ａｕｔｏ−ｃｏｒｒｅｌａｔｉｏｎ）と相互相関（ｃｒｏｓｓ−ｃｏｒｒｅｌａｔｉｏｎ）特性をそのまま維持する。次の式６は、ｐ（ｋ）の自己相関特性を示しており、最終結果がディラック−デルタ（Ｄｉｒａｃ−ｄｅｌｔａ）関数であることがわかる。特に、モジュレーションシーケンスｍ（ｋ）が一定の位相（ｐｈａｓｅ）を持つシーケンスである場合、いつも上記の自己相関特性が維持されるということに特徴がある。
【００５８】
【数６】
2009540665.tif 000008
また、下記の式７は、ｐ（ｋ）の相互相関特性を示している。
【００５９】
【数７】
2009540665.tif 000009
ここで、式７は、式６に類似しているかのように見えるが、サメーション（ｓｕｍｍａｔｉｏｎ）項を見ると、自己相関では単純な指数（ｅｘｐｏｎｅｎｔｉａｌ）和で表されるのに比べ、相互相関では両シーケンスの積で表されることがわかる。そのうち、１番目の項はシード（ｓｅｅｄ）値がｘである他のＣＡＺＡＣシーケンスであり、２番目の項は単純な指数関数である。これから、両シーケンスの積の和は、指数関数の係数を求めること同様になり、その値は、シード値がｘであるＣＡＺＡＣシーケンスを周波数領域に変換し、そのうち、指数の周波数位置で値を抽出することと同一である。
【００６０】
ＣＡＺＡＣシーケンスは、自己相関がディラック−デルタ（Ｄｉｒａｃ−ｄｅｌｔａ）特性を持っているから、フーリエ変換を経ると、変換された領域でも定数大きさ（ｃｏｎｓｔａｎｔ  ａｍｐｌｉｔｕｄｅ）にディラック−デルタの自己相関特性を維持する。これにより、周波数領域で特定位置の値を抽出する場合、その大きさは１であって同一であり、位相のみが異なってくる。したがって、式７にこのような内容を追加して相互相関を求めると、下記の式８で簡略に表現できる。
【００６１】
【数８】
2009540665.tif 000010
ここで、Ｃ（ｄＭ／Ｎ；ｘ）は、大きさがいつも１で、指数ターム（ｅｘｐｏｎｅｎｔｉａｌ  ｔｅｒｍ）も大きさが１であるから、相互相関は常に１と固定されることがわかる。
【００６２】
結局、式５のような方式によって従来ＣＡＺＡＣシーケンスの特性をそのまま維持しながらコードの個数を増加させることができる。これは、指数タームを乗算する領域での結果は、フーリエ変換された領域で循環遅延（ｃｉｒｃｕｌａｒ  ｓｈｉｆｔ）を適用したのと同一であり、また、時間領域で指数シーケンス（ｅｘｐｏｎｅｎｔｉａｌ  ｓｅｑｕｅｎｃｅ）を乗算することが周波数領域で循環遅延を行うことと同一であるということを意味する。
【００６３】
すなわち、シード値が同一である２つのシーケンスｐ（ｋ；Ｍ，Ｎ，ｄ１）とｐ（ｋ；Ｍ，Ｎ，ｄ２）の相関性（ｃｏｒｒｅｌａｔｉｏｎ）を求めると、相互相関において遅延値（ｄｅｌａｙ）ｄがｄ１−ｄ２となる地点でインパルス（ｉｍｐｕｌｓｅ）が発生することがわかる。このような改善されたシーケンスの設計は、ＣＡＺＡＣシーケンスを循環遅延したのと同一の結果を有するが、このため、フーリエ変換及び循環遅延を適用し、再びフーリエ逆変換を行う必要無しで２つの指数シーケンスを乗算する簡単な手順だけで具現できるという点で本実施例の意味がある。
【００６４】
以下では、従来のコードシーケンスに所定のデータ処理を加えてプリアンブルのデータ転送信頼度を高さは方法、及びデータが同時に転送される時にコードシーケンスの長さ自体を拡張する方法について説明する。ここで、コードシーケンスをＣＡＺＡＣシーケンスとする場合、上記の方法によって拡張されたＣＡＺＡＣシーケンスを使用することが好ましいが、必ずしもこれに限るわけではなく、従来のＣＡＺＡＣシーケンスがそのまま適用されても良い。
【００６５】
まず、本発明の実施例に共通して適用される転送データ、すなわち、プリアンブルの構造について説明する。
【００６６】
３ＧＰＰ  ＬＴＥ（Ｌｏｎｇ  Ｔｅｒｍ  Ｅｖｏｌｕｔｉｏｎ）システムでは、受信側が転送データを容易に検出できるように、または、追加的な検出性能の向上（すなわち、拡散利得（ｓｐｒｅａｄｉｎｇ  ｇａｉｎ）の増加）の目的で、シーケンスを２回以上反復して転送することができる。したがって、受信側では、伝送されたシーケンスの種類に関らずに反復パターンのみを検出すればいいので、ＲＡＣＨに接近する端末の時間位置を簡単に知ることができ、検出性能も向上させることができる。
【００６７】
図１１は、本発明の一実施例によるプリアンブルの構造を示す図である。直交周波数分割転送方式では、信号の転送において多重経路（Ｍｕｌｔｉ−ｐａｔｈ）に対する補償のためにＯＦＤＭシンボルの最後の部分を複製してＯＦＤＭシンボルの前につけるＣＰ（Ｃｙｃｌｉｃ  ｐｒｅｆｉｘ）を使用する。したがって、ＯＦＤＭシンボルが反復される２つのプリアンブルからなる場合、後位にあるプリアンブルの一部を、シンボルの最初の部分にＣＰで複製することによって該当のプリアンブルに対して多重経路の補償がなされるようにすることができる。また、ＣＰを使用すると、ＣＡＺＡＣのような周期的な相関（ｐｅｒｉｏｄｉｃ  ｃｏｒｒｅｌａｔｉｏｎ）が極良好である場合、相異なるＲＡＣＨへの接近端末を区分し易くなるという利点が得られる。
【００６８】
ここで、シーケンスを反復転送せずに単一シーケンスにＣＰを添付して転送してもシンボル間干渉（Ｉｎｔｅｒ−Ｓｙｍｂｏｌ  Ｉｎｔｅｒｆｅｒｅｎｃｅ）は発生しないので、周波数領域で所定の受信アルゴリズムを具現するのには差し支えない。しかし、反復転送もせずにＣＰさえ添付しないまま受信側で時間領域で受信アルゴリズムを具現する場合、ＲＡＣＨに接近する端末を区別するためには全ての種類のコードシーケンスを検索しなければならないという負担があるので、プリアンブルはできるだけ反復パターンの構造で具現されることが好ましい。このとき、システムで支援するデータ転送率（ｄａｔａ  ｒａｔｅ）によって反復するか否かを決定したり、反復する場合には反復回数を決定することができる。例えば、システムが支援する最小データ転送率を支援すべく、シーケンスの長さによって１回またはそれ以上ＲＡＣＨプリアンブルを反復して転送することができる。
【００６９】
以下で説明される第１乃至第４実施例は、プリアンブル構造をなすシーケンスに対するデータ処理方法と関連した実施例である。これらの実施例で受信側に転送するデータは、図１１のプリアンブル構造になっても良く、一部が省略される（反復転送をしなかったり、ＣＰが添付されない）構造になっても良い。また、データ転送に用いられるコードシーケンスとしてＣＡＺＡＣシーケンスを仮定したが、必ずしもこれに限るわけではなく、２進ハダマードコード、ゴールドコードなどのように転送特性に優れたシーケンスであればいずれもコードシーケンスとして使用可能である。
【００７０】
＜第１実施例＞
一般的にデータを転送するためにはデータを構成する転送信号に識別可能な標識を残さなければならないが、かかる表式として本実施例では共役化（ｃｏｎｊｕｇａｔｉｏｎ）を用いる。共役化された転送信号と他の転送信号は相互間における位相の変化幅が非常に大きいので、転送信号間干渉の影響が相対的に少なく、よって、チャネルの影響にもかかわらずにデータ転送の信頼性を高めることができる。
【００７１】
図１２は、本発明の一実施例による共役化を通じたデータ転送方法を説明するための図である。図１２の実施例では、１つのＣＡＺＡＣシーケンスを４つのブロックに分け、各各ブロックに対して共役化を行うか否かを‘０’または‘１’で表現する。例えば、共役化されていないブロックは‘０’で表し、共役化された部分は‘１’で表すと約束するとができる。このような方式によって一つのＣＡＺＡＣシーケンスは４ビットの情報を表現できる。すなわち、１つのＣＡＺＡＣシーケンスをＮ個のブロックに分けた場合、Ｎビットの情報を表現できる。
【００７２】
この時、ＣＡＺＡＣシーケンスで共役化される部分は、転送データの長さに相応する長い長さの単一ＣＡＺＡＣシーケンスのうち、１の値を持つ特定ブロックに該当する一部が共役化されても良く、転送データの各ブロック長に相応する短い長さの多数のＣＡＺＡＣシーケンスのうち、１の値を持つ特定ブロックに該当するＣＡＺＡＣシーケンスが共役化されても良い。
【００７３】
図１３は、本発明の一実施例によって送信側から共役化されて転送されたシーケンスを受信して復号化する方法を説明するための図である。
【００７４】
送信側では、転送データの１番ブロックに対して、以降レファレンスとして用いられることができるように常に０の値を割り当てることが好ましい。したがって、受信側では、受信した１番ブロックに対してシーケンスＩＤを把握した後（Ｓ１１０１）、該当のブロックのみを用いてピーク（ｐｅａｋ）を測定する（Ｓ１１０２）。次いで、１番及び２番ブロックに対するシーケンスＩＤを把握した後（Ｓ１１０３）、１番ブロックと２番ブロックを共に使用してピークを測定するが、この時、２番ブロックのシーケンスが共役化された状態かどうか不明なので、該当ブロックに対して共役化が行われた場合（Ｓ１１０４）、及び共役化が行われていない場合（Ｓ１１０５）のそれぞれに対してピークを測定し、これら両ピークのうち大きいのを採択する（Ｓ１１０６）。続いて、１番乃至３番ブロックに対するシーケンスＩＤを把握した後（Ｓ１１０７）、１番ブロック乃至３番ブロックを共に使用してピークを測定するが、この場合も同様に、３番ブロックのシーケンスが共役化された状態かどうか不明なので、該当のブロックに対して共役化が行われた場合（Ｓ１１０８）、及び共役化が行われていない場合（Ｓ１１０９）に対してそれぞれピークを測定し、これら両ピークのうち大きいのを採択する（Ｓ１１１０）。このような方式で最後のブロックまで復号化を行うと、最終的な原本データが復号化される。
【００７５】
＜第２実施例＞
図１４は、本発明の好ましい他の実施例によるシーケンスを用いたデータ転送方法を説明するための図である。第１実施例では、シーケンス自体に変形を加えてデータを転送するが、本実施例では一つのブロックを表示するためのシーケンスの種類をブロック値‘０’に対するシーケンス（第１シーケンス）及びブロック値‘１’のためのシーケンス（第２シーケンス）の２つに区分し、第１シーケンスと第２シーケンスをまとめてグループとして取り扱う。この場合、受信側では、各ブロックに対して唯一のシーケンスＩＤ（第１シーケンスのＩＤまたは第２シーケンスのＩＤ）を検索するので、上記の第２実施例に比べてノイズやチャネルの影響をより少なく受けるという特徴がある。
【００７６】
全てのシーケンスは２つのサブシーケンス（第１シーケンス及び第２シーケンス）を縛まとめて一つのグループ“｛ｃ０(ｋ；Ｍｉ)、ｃ１(ｋ；Ｍｊ)｝”で表示される（ｉとｊはそれぞれ異なる整数である。）。ここで、ｃ０(ｋ；Ｍｉ)は、ブロック値（またはビット値）０のための第１シーケンスであり、ｃ１(ｋ；Ｍｊ)は、ブロック値１のための第２シーケンスである。この時、上記グループをなす各サブシーケンスは転送データの長さに相応する長い長さのＣＡＺＡＣシーケンスが使用されても良く、転送データの各ブロック長に相応する短い長さのＣＡＺＡＣシーケンスが使用されても良い。
【００７７】
一方、受信側では各ブロックのシーケンスＩＤを把握し、把握されたシーケンスＩＤからなるシーケンスＩＤセットから各ブロックに対するシーケンスの種類（第１シーケンスなのか第２シーケンスなのか）を把握する。この時、各ブロックに対するシーケンスの種類をグループＩＤで表現できる。すなわち、本実施例では、各ブロックのコード値として０，１を表現できると仮定したので、各ブロックに対するシーケンスの種類またはグループＩＤの種類は２つとなる。グループＩＤを通じて各ブロックのコード値を復元することができる。このような復号化過程を図１５を参照して詳細に説明すると、下記の通りである。
【００７８】
受信側ではシーケンスを受信すると、該当のシーケンスを構成する各ブロックのシーケンスＩＤを把握し（Ｓ１５０１）、これら把握されたシーケンスＩＤで構成されるシーケンスＩＤセットに対してピーク（ｐｅａｋ）を測定する（Ｓ１５０２）。ここで、発生頻度の高い２つのピークを選択し（Ｓ１５０３）、該当のピークを発生させるシーケンスをそれぞれ当該グループを構成する第１シーケンス及び第２シーケンスとして把握する。この時、第１シーケンス及び第２シーケンスをそれぞれ所定のグループＩＤで表現すると、コード値０を表す第１グループＩＤとコード値１を表す第２グループＩＤとに区分できる。結局、上記Ｓ１５０３段階を通じて各ブロックのグループＩＤを把握でき（Ｓ１５０４）、これを通じて各ブロックのコード値を見つけることとなる（Ｓ１５０８）。
【００７９】
もし、復号化過程で誤りが発生し、グループＩＤを把握できないシーケンスＩＤが存在する場合、該当のシーケンスＩＤのセットに対してのみ再びピークを探索し（Ｓ１５０５）そのうち有力な２つのピークを検索し（Ｓ１５０６）、それらからグループＩＤを再び把握する（Ｓ１５０７）。続いて、把握されたグループＩＤから該当のブロックのコード値を見つけることができる（Ｓ１５０８）。
【００８０】
＜第３実施例＞
図１６は、本発明の好ましいさらに他の実施例によるシーケンスを用いたデータ転送方法を説明するための図である。
【００８１】
第２実施例をより拡張すると、一つのグループを通じて伝達できるデータの総ビット数を増加させることができる。例えば、第２実施例のように２個のシーケンスを一つのグループと定める場合、ブロック当たり１ビットのデータを転送でき、４個のシーケンスを一つのグループにする場合、ブロック当たり２ビットのデータを転送でき、８個のシーケンスを一つのグループにする場合ではブロック当たり３ビットのデータを転送できる。ただし、複数のシーケンスをグルーピングして一つのセットと定義するから、各シーケンスの長さが短いとそれに比例して選択可能なグループの数も減るという問題点がある。
【００８２】
したがって、選択可能なグループを増やすにはシーケンスの長さを拡張させる必要があり、このために本実施例では、図１６Ｂに示すように、各ブロックに対するシーケンスの長さを拡張させるものの、各シーケンスを多重に重畳して転送し、また重畳されるそれぞれのシーケンス間に転送遅延をおき、独立性が維持されるようにする。
【００８３】
図１６Ａでは、各ブロックに２ビットのデータ値が与えられる場合を特に例示している。したがって、各ブロックに対するシーケンスグループは相異なる４個のＣＡＺＡＣシーケンスで構成される。ここで、シーケンスグループを構成する各ＣＡＺＡＣシーケンスは、４つの場合の値を区別付けなければならず、よってグループ大きさも大きくならなければならないが、その場合、各基地局が使用できるグループの個数が減るという問題が発生する。したがって、図１６に示すように、各ＣＡＺＡＣシーケンスの長さを必要な分だけ拡張させるが、この場合、データ転送時にそれぞれのＣＡＺＡＣシーケンスに所定の遅延を加えて転送することによって各ＣＡＺＡＣシーケンス間に独立性を維持させる。
【００８４】
一方、受信側では各ＣＡＺＡＣシーケンスが時間／周波数領域で現れる順序に基づいて該当のブロックのＩＤを把握し、該当のブロックＩＤからコード値を復号する方法は、第２実施例と略同一である。以下、図１７を参照して受信側でのデータ復号化過程について詳細に説明する。
【００８５】
受信側では、シーケンスを受信すると、当該シーケンスを構成する各ブロックのシーケンスＩＤを把握し（Ｓ１７０１）、これら把握されたシーケンスＩＤで構成されるシーケンスＩＤセットに対してピーク（ｐｅａｋ）を測定する（Ｓ１７０２）。本実施例では一つのブロックが表現するビット数が２個であるから、００、０１、１０、１１を表現するための第１シーケンス、第２シーケンス、第３シーケンス、第４シーケンスが一つのグループを形成し、よって、上記の測定結果、発生頻度の高い４個のピークを選択すべきである（Ｓ１７０３）。ここで、選択された各ピークは、時間／周波数領域で現れる順序に従ってそれぞれ第１シーケンス、第２シーケンス、第３シーケンス、第４シーケンスにマッピングされる。また、第１シーケンス乃至第４シーケンスをそれぞれ所定のグループＩＤで表現すると、コード値００を表す第１グループＩＤ、コード値０１を表す第２グループＩＤ、コード値１０を表す第３グループＩＤ、コード値１１を表す第４グループＩＤに区分できる。結局、上記Ｓ１７０３段階を通じて各ブロックのグループＩＤを把握でき（Ｓ１７０４）、これを通じて各ブロックのコード値を見つけることとなる（Ｓ１７０８）。
【００８６】
もし、復号化過程で誤りが発生し、グループＩＤを把握できないシーケンスＩＤが存在する場合、該当のシーケンスＩＤのセットに対してのみ再びピークを探索し（Ｓ１７０５）、そのうち有力な４個のピークを検索し（Ｓ１７０６）、それらからグループＩＤを再び把握する（Ｓ１７０７）。続いて、把握されたグループＩＤから該当のブロックのコード値を見つけることができる（Ｓ１７０８）。
【００８７】
＜第４実施例＞
図１８は、本発明の好ましいさらに他の実施例によるシーケンスを用いたデータ転送方法を説明するための図である。
【００８８】
第２実施例及び第３実施例をより拡張すると、ＰＰＭ（Ｐｕｌｓｅ  Ｐｏｓｉｔｉｏｎ  Ｍｏｄｕｌａｔｉｏｎ）を通じて信号の位置を変化させることによって、シーケンスの長さを論理的に拡張することができる。そもそもＰＰＭは相対的なパルスの遅延を持ちながらデータを転送する方式であるが、シーケンスの開始位置に基づいてＰＰＭを適用する。
【００８９】
基地局は、転送されるデータのビット数が決定されると、該当のデータの転送に使用するシーケンスを選択し、該当のシーケンスにＰＰＭを適用するためのブロックの長さ及び各ブロックを構成する区間の長さを決定する。原則としてプリアンブルを生成する時には、各ブロックに該当するシーケンスをそれぞれ個別に生成しなければならないが、本実施例では同一のシーケンスに対して該当のシーケンスを構成する特定ブロック内の特定区間までの長さだけ循環遅延（ｃｉｒｃｕｌａｒ  ｓｈｉｆｔ）が適用されるので、各シーケンスはそもそも同一のものであるにもかかわらず、上記循環遅延によって互いに区分されるという点に特徴がある。
【００９０】
例えば、一つのシーケンスを４個のブロック（ブロック１〜ブロック４）に区分し、各ブロック別に２ビットを表現するとすれば、“００、０１、１０、１１”の値を表現するために各ブロックは再び４個の区間（区間１〜区間４）に分けられなければならない。この時、一つのブロックに含まれた４個の区間は、当該ブロックに相応するシーケンスに対する循環遅延の開始区分位置として用いられる。もし、転送するプリアンブルの総長さが２５６であるとすれば、ブロック１は０〜６３、ブロック２は６４〜１２７、ブロック３は１２８〜１９５、ブロック４は１９６〜２５５までの循環遅延値を持つことができる。上記プリアンブルの転送に使用する特定シーケンスが決定され、ブロック１を通じて“００”を転送する場合、ブロック１の区間１（０〜１５）に開始位置がくるようにシーケンス１を循環遅延させ、ブロック２に“１０”を転送する場合、ブロック２の区間３（９６〜１１１）に開始位置がくるようにシーケンス２を循環遅延させる。この方法で残りのブロックに対しても循環遅延を適用した後、各シーケンス（シーケンス１〜シーケンス４）を一つにまとめて一つのプリアンブルを生成する。ここで、ブロックの個数は、１個から任意の個数までいずれも可能である。また、循環遅延の最小単位は、チャネルやタイミングエラーを考慮し、一定値以上のみを使用するように制限することができる。
【００９１】
一方、受信側では受信したシーケンスをデータ処理し、該当のシーケンスを構成するそれぞれのサブシーケンス（シーケンス１〜シーケンス４）を区分し、区分された各シーケンスに対する開始位置を見つけることによってデータを復号化する。これを、図１９を参照して詳細に説明すると、下記の通りである。
【００９２】
受信側にシーケンスが転送されると（Ｓ１９０１）、当該シーケンスのＩＤを検出し（Ｓ１９０３）、検出された結果を用いて受信信号（受信されたシーケンス）全体に対して所定のデータ処理を通じてコリレーション（ｃｏｒｒｅｌａｔｉｏｎ）を行う（ｆｕｌｌ  ｃｏｒｒｅｌａｔｉｏｎ）（Ｓ１９０５）。この時、シーケンスＩＤの検出のために全体検索（ｆｕｌｌ  ｓｅａｒｃｈ）アルゴリズムまたは差値検索（ｄｉｆｆｅｒｅｎｔｉａｌ  ｓｅａｒｃｈ）アルゴリズムが用いられることができる。
【００９３】
受信した信号は送信側で複数のシーケンスをまとめたものであるから、コリレーション（ｃｏｒｒｅｌａｔｉｏｎ）過程を経た信号は、複数のピークを含む。本実施例では、４個のピークが検出されるが、このように検出された各ピークに対してブロック１〜ブロック４のいずれかのブロックに該当するか、そして該当のブロックのどの区間に該当するかを判断することによって（Ｓ１９０９）、原本データのビット順序とビット値を復号化できる（Ｓ１９１１）。
【００９４】
以上、ＲＡＣＨを通じてプリアンブルシーケンスとメッセージを效果的に転送する方法について説明した。最後に、使用者端末（Ｕｓｅｒ  Ｅｑｕｉｐｍｅｎｔ：ＵＥ）が基地局（Ｎｏｄｅ−Ｂ）にプリアンブルを転送し、両者間に同期化を行う過程を２つの実施例として説明する。
【００９５】
図２０Ａの実施例は、使用者端末が基地局に１回の接近て同期化される方式である。すなわち、使用者端末が基地局にプリアンブルと同期化に必要な情報を含むメッセージを転送すると（Ｓ２００１）、基地局は、使用者端末にタイミング情報を転送する（Ｓ２００３）と同時に、アップリンクデータ転送のための資源を割り当て（Ｓ２００５）、使用者端末は割り当てられた資源を通じてアップリンクデータを基地局に転送する（Ｓ２００７）。
【００９６】
図２０Ｂの実施例は、同期化のために使用者端末が基地局に２回接近する方式である。すなわち、使用者端末が基地局にプリアンブルを転送すると（Ｓ２０１１）、それに応じて基地局は使用者端末にタイミング情報を転送すると同時にスケジューリング要請のための資源を割り当てる（Ｓ２０１３）。使用者端末は当該受け取った資源を通じて基地局にスケジューリング要請のためのメッセージを転送し（Ｓ２０１５）、これを受け取った基地局は再び使用者端末にアップリンクデータ転送のための資源を割り当てる（Ｓ２０１７）。このように２回目に割り当てられた資源を通じて使用者端末は基地局にアップリンクデータを転送する（Ｓ２０１９）。
【００９７】
図２１は、本発明の一実施例によってシグナリングチャネルを通じて受信側にデータを転送する方法を説明するための図である。
【００９８】
一般に、実際ＲＡＣＨチャネルを具現するに当たり、信号の開始位置を検索すべき負担から、ランダムアクセス信号が時間領域で特定パターンを持つように設計する。このため、そもそも反復的なパターンを持つようにプリアンブルシーケンス（ｐｒｅａｍｂｌｅ  ｓｅｑｕｅｎｃｅ）を使用しても良く、周波数領域で搬送波間を一定区間離間させる方式で時間領域における反復特性を生成しても良い。したがって、上記の図６Ａ及び図６Ｂの接近方式両方とも時間領域で容易に検索されるための特徴を有しなければならず、このため、ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスが使われる。ＣＡＺＡＣシーケンスは、ＧＣＬシーケンス（式１）とＺａｄｏｆｆ−Ｃｈｕシーケンス（式２）とに大別されることができる。
【００９９】
一方、ＲＡＣＨ（Ｒａｎｄｏｍ  Ａｃｃｅｓｓ  Ｃｈａｎｎｅｌ）やＳＣＨ（Ｓｙｎｃｒｏｎｉｚａｔｉｏｎ  Ｃｈａｎｎｅｌ）で接近端末または基地局の固有（ｕｎｉｑｕｅ）情報を伝達すべく、原則として長い特定シーケンスを使用することが好ましい。なぜなら、シーケンスの長さが長いと受信端で該当のＩＤを検出しやすいだけでなく、より多い種類のシーケンスを使用することができ、結果としてシステム設計に便利さを提供することが可能になるためのである。
【０１００】
しかし、シーケンスの長さを長くして該当のＩＤでメッセージを伝達する場合、メッセージの量はｌｏｇ２関数で増加するので、シーケンスが一定の長さ以上になるとＩＤだけでメッセージを伝達するには限界がある。したがって、本実施例ではシーケンスをいくつかの短ブロック（ｓｈｏｒｔ  ｂｌｏｃｋ）に区画し、それ自体にコンジュゲート（ｃｏｎｊｕｇａｔｅ）またはネゲーション（ｎｅｇａｔｉｏｎ）などの特定の操作を加えるよりは、シーケンスの各ブロックに転送しようとするデータに該当する短いシグネチャーシーケンス（ｓｈｏｒｔ  ｓｉｇｎａｔｕｒｅ  ｓｅｑｕｅｎｃｅ）を適用することとする。
【０１０１】
図２１を参照すると、シーケンス（ｓｅｑｕｅｎｃｅ）を所定個数のブロックに区画し、これら区画された各ブロックに、転送するデータに該当する短いシグネチャーシーケンス（ｓｈｏｒｔ  ｓｉｇｎａｔｕｒｅ  ｓｅｑｕｅｎｃｅ）を適用する。そして、短いシグネチャーシーケンスの適用されたブロックの組合せに長いＣＡＺＡＣシーケンス（ｌｏｎｇ  ＣＡＺＡＣ  ｓｅｑｕｅｎｃｅ）を乗算して受信側に転送する最終的なデータシーケンスを完成する。
【０１０２】
ここで、短いシグネチャーシーケンスが４個のシグネチャーからなると仮定する時、下のようなシグネチャーセットが使用されることができる。なお、これに限定されず、シグネチャーセットを構成する各データ間に差別性があればいずれのシグネチャーセットも使用可能である。
【０１０３】
１）モジュレーション値（Ｍｏｄｕｌａｔｉｏｎ  ｖａｌｕｅｓ）：｛１＋ｊ，１−ｊ，−１−ｊ，−１＋ｊ｝
２）指数的シーケンス（Ｅｘｐｏｎｅｎｔｉａｌ  ｓｅｑｕｅｎｃｅ）：｛［ｅｘｐ（ｊｗ０ｎ）］，［ｅｘｐ（ｊｗ１ｎ）］、［ｅｘｐ（ｊｗ２ｎ）］、［ｅｘｐ（ｊｗ３ｎ）］｝ここで、ｎ＝０…Ｎｓで、Ｎｓは各ブロック長である。
【０１０４】
３）ウォルシュハダマードシーケンス（Ｗａｌｓｈ  Ｈａｄａｍａｒｄ  ｓｅｑｕｅｎｃｅ）：｛［１１１１］、［１−１１−１］、［１１−１−１］、［１−１−１１］｝ここで、ブロック長Ｎｓが４よりも長いと各シーケンスを反復させて長さを合わせる。
【０１０５】
図２１の実施例で使用されうる長いＣＡＺＡＣシーケンス（ｌｏｎｇ  ＣＡＺＡＣ  ｓｅｑｕｅｎｃｅ）は、一つのＧＣＬ  ＣＡＺＡＣシーケンスまたはＺａｄｏｆｆ−Ｃｈｕ  ＣＡＺＡＣシーケンス、同一か相異なる長さを有する２つ以上の短いＧＣＬまたはＺａｄｏｆｆ−Ｃｈｕ  ＣＡＺＡＣシーケンスを連結（ｃｏｎｃａｔｅｎａｔｉｏｎ）することによって生成されたシーケンスなどであるが、これに限定されることはない。
【０１０６】
以上のように、ＣＡＺＡＣシーケンスにデータ送受信のための短いシグネチャーシーケンスを使用する方式は、従来技術において直接転送データを変調する方式に比べてチャネルの影響が少ないという長所があり、かつ、一つのシグネチャーを構成するビット数を増やしても性能の減少が大きくないという特長がある。
【０１０７】
図２２は、上記の方式を用いてＲＡＣＨまたはＳＣＨにその他のチャネルを通じてプリアンブルとデータを転送するための送信側構成及び受信側構成の一例を示す図である。
【０１０８】
送信端において、上記のような場合にシグネチャー増加によるビット数増加が可能なため、チャネルコーディングが適用可能であり、チャネルコーディングを行う場合、再びインタリーバを通じて時間／周波数ダイバーシティを得ることができる。また、ビットエラー率を最小化するためにビット→シグネチャーマッピングを行うことができ、この場合、特にグレーマッピング（Ｇｒａｙ  ｍａｐｐｉｎｇ）を用いることができる。このような過程を経たシーケンスは、最終的にＣＡＺＡＣでミキシングされて送信される。
【０１０９】
受信端では、ＣＡＺＡＣに対するＩＤを検出し、以降、各ビットに対してログ類似度比（ｌｏｇ−ｌｉｋｅｌｉｈｏｏｄ  ｒａｔｉｏ：ＬＬＲ)を計算する。その後、チャネルデコーダを通じて転送データを復号化する。図２２のような構成の受信端でシーケンス検索による複雑度（ｃｏｍｐｌｅｘｉｔｙ）を考慮すると、転送端でシグネチャーシーケンスとして指数的シーケンス（ｅｘｐｏｎｅｎｔｉａｌ  ｓｅｑｕｅｎｃｅ）を使用することが好適である。このような場合、受信端では位相差フーリエ変換（ｐｈａｓｅ  ｄｉｆｆｅｒｅｎｃｅ  Ｆｏｕｒｉｅｒ  Ｔｒａｎｓｆｏｒｍ）を通じてＣＡＺＡＣ  ＩＤ検索を簡単に行うことができ、以降、シグネチャーから再びＬＬＲを計算する場合にもフーリエ変換（Ｆｏｕｒｉｅｒ  Ｔｒａｎｓｆｏｒｍ）を通じて簡単に具現できる。
【０１１０】
以上説明してきた本発明は、本発明の属する技術分野における通常の知識を持つ者にとって本発明の技術的思想を逸脱しない範囲内で様々な置換、変形及び変更が可能であり、したがって、本発明は、前述した実施例及び添付された図面によって限定されることはない。
【産業上の利用可能性】
【０１１１】
本発明は、移動通信システムや無線インターネットシステムなどのような無線通信システムに適用可能である。
【図面の簡単な説明】
【０１１２】
【図１】従来の技術によるＯＦＤＭＡシステムにおけるランダムアクセスチャネル（ＲＡＣＨ）を通じたデータ転送方法の一例を示す図である。
【図２】従来の技術によるＯＦＤＭＡシステムにおけるＲＡＣＨを通じたデータ転送方法の他の例を示す図である。
【図３Ａ】従来の技術によるＯＦＤＭＡシステムにおけるＲＡＣＨを通じたデータ転送方法のさらに他の例を示す図である。
【図３Ｂ】従来の技術によるＯＦＤＭＡシステムにおけるＲＡＣＨを通じたデータ転送方法のさらに他の例を示す図である。
【図４Ａ】従来の技術によるＯＦＤＭＡシステムにおけるＲＡＣＨを通じたデータ転送方法のさらに他の例を示す図である。
【図４Ｂ】従来の技術によるＯＦＤＭＡシステムにおけるＲＡＣＨを通じたデータ転送方法のさらに他の例を示す図である。
【図５】ＯＦＤＭＡシステムで使用されるＲＡＣＨの構造の一例を説明するための図である。
【図６Ａ】図５のＲＡＣＨ構造を前提として時間領域または周波数領域でＲＡＣＨ信号を載せるための例を説明するための図である。
【図６Ｂ】図５のＲＡＣＨ構造を前提として時間領域または周波数領域でＲＡＣＨ信号を載せるための例を説明するための図である。
【図７】ＯＦＤＭＡシステムで使用される従来ＲＡＣＨ構造の他の例を説明するための図である。
【図８Ａ】ＯＦＤＭＡシステムで使用されるＲＡＣＨ構造のさらに他の例を説明するための図である。
【図８Ｂ】ＯＦＤＭＡシステムで使用されるＲＡＣＨ構造のさらに他の例を説明するための図である。
【図９】本発明の一実施例によるＲＡＣＨの構造を示す図である。
【図１０】ＲＡＣＨパイロットが割り当てられたサブフレームのＲＡＣＨ構造を示す図である。
【図１１】本発明の一実施例によるプリアンブルの反復構造を示す図である。
【図１２】共役化を通じて拡張されたコードシーケンスでデータを転送する本発明の一実施例を説明するための単位データの構造図である。
【図１３】本発明の一実施例によって共役化を通じて拡張されたコードシーケンスで転送されてきたデータを受信して復号化する過程を説明するためのフローチャートである。
【図１４】グループ化を通じて拡張されたコードシーケンスでデータを転送する本発明の一実施例を説明するための単位データの構造図である。
【図１５】グループ化を通じて拡張されたコードシーケンスで転送されてきたデータを受信して復号化する過程を説明するためのフローチャートである。
【図１６】遅延（ｄｅｌａｙ）処理とグループ化を通じて拡張されたコードシーケンスでデータを転送する本発明の一実施例を説明するための単位データの構造図である。
【図１７】遅延処理とグループ化を通じて拡張されたコードシーケンスで転送されてきたデータを受信して復号化する過程を説明するためのフローチャートである。
【図１８】ＰＰＭ変調を通じて拡張されたコードシーケンスでデータを転送する本発明の一実施例を説明するための単位データの構造図である。
【図１９】ＰＰＭ変調を通じて拡張されたコードシーケンスで転送されてきたデータを受信して復号化する過程を説明するためのフローチャートである。
【図２０Ａ】本発明の一実施例によるデータ転送方法によってＲＡＣＨで同期化が行われる過程を示すフローチャートである。
【図２０Ｂ】本発明の一実施例によるデータ転送方法によってＲＡＣＨで同期化が行われる過程を示すフローチャートである。
【図２１】本発明の一実施例によってシグナリングチャネルを通じて受信側にデータを転送する方法を説明するための図である。
【図２２】本発明の一実施例によってＲＡＣＨ、ＳＣＨまたはその他のチャネルを通じてプリアンブルとデータを転送するための送信側構成及び受信側構成の一例を示す図である。
【図１】
2009540665.tif 000011
【図２】
2009540665.tif 000012
【図３Ａ】
2009540665.tif 000013
【図３Ｂ】
2009540665.tif 000014
【図４Ａ】
2009540665.tif 000015
【図４Ｂ】
2009540665.tif 000016
【図５】
2009540665.tif 000017
【図６Ａ】
2009540665.tif 000018
【図６Ｂ】
2009540665.tif 000019
【図７】
2009540665.tif 000020
【図８Ａ】
2009540665.tif 000021
【図８Ｂ】
2009540665.tif 000022
【図９】
2009540665.tif 000023
【図１０】
2009540665.tif 000024
【図１１】
2009540665.tif 000025
【図１２】
2009540665.tif 000026
【図１３】
2009540665.tif 000027
【図１４】
2009540665.tif 000028
【図１５】
2009540665.tif 000029
【図１６】
2009540665.tif 000030
【図１７】
2009540665.tif 000031
【図１８】
2009540665.tif 000032
【図１９】
2009540665.tif 000033
【図２０Ａ】
2009540665.tif 000034
【図２０Ｂ】
2009540665.tif 000035
【図２１】
2009540665.tif 000036
【図２２】
2009540665.tif 000037
【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
無線通信システムにおいてプリアンブルシーケンスを伝送する方法であって、
該方法は、
特定のシーケンスを少なくとも一回反復することと、該反復されたシーケンスの前端部にサイクリックプレフィックス（ＣＰ）を連結することとによって、該プリアンブルシーケンスを生成することであって、該サイクリックプレフィックスは、該特定のシーケンスの後端部の一部と一致する、ことと、
ランダムアクセスチャネル上で該プリアンブルシーケンスを受信側に伝送することと
を包含する、方法。
【請求項２】
ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスから前記特定のシーケンスを生成することをさらに包含する、請求項１に記載の方法。
【請求項３】
ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）から生成された前記特定のシーケンスにサイクリックシフトを適用することをさらに包含する、請求項２に記載の方法。
【請求項４】
前記適用されたサイクリックシフトの値は、所定の循環遅延単位の整数値として決定される、請求項３に記載の方法。
【請求項５】
前記適用されたサイクリックシフトの値は、追加情報として用いられる、請求項３に記載の方法。
【請求項６】
前記サイクリックシフトを適用することは、前記特定のシーケンスに指数シーケンスを乗算することを包含する、請求項３に記載の方法。
【請求項７】
少なくとも２つのコードシーケンスを結合することによって、前記特定のシーケンスを生成することをさらに包含し、該少なくとも２つのコードシーケンスのそれぞれは、少なくとも１つの情報ビットでマッピングされている、請求項１に記載の方法。
【請求項８】
無線通信システムにおいてプリアンブルシーケンスを伝送するトランスミッタであって、
該トランスミッタは、
特定のシーケンスを少なくとも一回反復することと、該反復されたシーケンスの前端部にサイクリックプレフィックス（ＣＰ）を連結することとによって、該プリアンブルシーケンスを生成する手段であって、該サイクリックプレフィックスは、該特定のシーケンスの後端部の一部と一致する、手段と、
ランダムアクセスチャネル上で該プリアンブルシーケンスを受信側に伝送する手段と
を備える、トランスミッタ。
【請求項９】
前記プリアンブルを生成する手段は、ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスから前記特定のシーケンスを生成するように構成される、請求項８に記載のトランスミッタ。
【請求項１０】
前記プリアンブルを生成する手段は、ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）から生成された前記特定のシーケンスにサイクリックシフトを適用するように構成される、請求項９に記載のトランスミッタ。
【請求項１１】
前記適用されたサイクリックシフトの値は、所定の循環遅延単位の整数値として決定される、請求項１０に記載のトランスミッタ。
【請求項１２】
前記適用されたサイクリックシフトの値は、追加情報として用いられる、請求項９に記載のトランスミッタ。
【請求項１３】
前記プリアンブルを生成する手段は、前記特定のシーケンスに指数シーケンスを乗算することによって、サイクリックシフトを適用するように構成される、請求項９に記載のトランスミッタ。
【請求項１４】
前記プリアンブルを生成する手段は、少なくとも２つのコードシーケンスを結合することによって、前記特定のシーケンスを生成するように構成され、該少なくとも２つのコードシーケンスのそれぞれは、少なくとも１つの情報ビットでマッピングされている、請求項８に記載のトランスミッタ。
【手続補正２】
【補正対象書類名】明細書
【補正対象項目名】００１４
【補正方法】変更
【補正の内容】
【００１４】
（項目１）
無線通信システムにおけるランダムアクセスチャネルを通じたデータ転送方法であって、
コードシーケンスに指数シーケンスを乗算することによって新たなコードシーケンスを生成する段階と、
前記新たなコードシーケンスを受信側に転送する段階と、
を含む、データ転送方法。
（項目２）
前記コードシーケンスが、ＣＡＺＡＣ（ｃｏｎｓｔａｎｔ  Ａｍｐｌｉｔｕｄｅ  Ｚｅｒｏ  Ａｕｔｏｃｏｒｒｅｌａｔｉｏｎ）シーケンスであることを特徴とする、項目１に記載のデータ転送方法。
（項目３）
前記コードシーケンスが、プリアンブル（ｐｒｅａｍｂｌｅ）として転送されることを特徴とする、項目１または２に記載のデータ転送方法。
（項目４）
無線通信システムにおけるコードシーケンスを通じたデータ転送方法であって、
少なくとも２つ以上のブロックに区画されたコードシーケンスによって所定の情報を表現するために少なくとも一つ以上のブロックを共役化（ｃｏｎｊｕｇａｔｉｏｎ）する段階と、
前記少なくとも一つ以上のブロックが共役化されたコードシーケンスを受信側に転送する段階と、
を含むことを特徴とする、データ転送方法。
（項目５）
前記コードシーケンスが、ＣＡＺＡＣシーケンスであることを特徴とする、項目４に記載のデータ転送方法。
（項目６）
無線通信システムでコードシーケンスを通じたデータ転送方法であって、
それぞれ少なくとも一つ以上の情報ビット（ｉｎｆｏｒｍａｔｉｏｎ  ｂｉｔ）とマッピングされる少なくとも２つ以上の第１コードシーケンスを結合し、所定の情報を表現する第２コードシーケンスを生成する段階と、
前記第２コードシーケンスを受信側に転送する段階と、
を含むことを特徴とする、データ転送方法。
（項目７）
前記第１コードシーケンスが、ＣＡＺＡＣシーケンスであることを特徴とする、項目６に記載のデータ転送方法。
（項目８）
前記第１コードシーケンスのそれぞがｎビットの情報ビットとマッピングされる場合、前記少なくとも２つ以上の第１コードシーケンスは２ｎ個の第１コードシーケンスからなるシーケンスグループから選択されることを特徴とする、項目６に記載のデータ転送方法。
（項目９）
前記少なくとも２つ以上の第１コードシーケンスの結合は、
前記少なくとも２つ以上の第１コードシーケンスのそれぞれに所定の遅延（ｄｅｌａｙ）をおいてそれぞれを合算することによってなることを特徴とする、項目６に記載のデータ転送方法。
（項目１０）
無線通信システムにおけるコードシーケンス転送方法であって、
基本コードシーケンスと前記基本コードシーケンスを位相回転（ｃｉｒｃｕｌａｒ  ｓｈｉｆｔ）させた少なくとも１つ以上のコードシーケンスを合算して結合コードシーケンスを生成する段階と、
前記結合コードシーケンスを受信側に転送する段階と、
を含むことを特徴とする、コードシーケンス転送方法。
（項目１１）
前記基本コードシーケンス及び前記少なくとも１つ以上のコードシーケンスのそれぞれが、少なくとも１ビット以上の情報ビットを意味することを特徴とする、項目１０に記載のコードシーケンス転送方法。
（項目１２）
前記結合コードシーケンス生成段階が、周波数領域（ｆｒｅｑｕｅｎｃｙ  ｄｏｍａｉｎ）で行われることを特徴とする、項目１０に記載のコードシーケンス転送方法。
（項目１３）
前記結合コードシーケンス生成段階が、時間領域（ｔｉｍｅ  ｄｏｍａｉｎ）で行われることを特徴とする、項目１０に記載のコードシーケンス転送方法。
（項目１４）
前記結合コードシーケンスが、ランダムアクセスチャネル（ＲＡＣＨ）を通じて転送されることを特徴とする、項目１０に記載のコードシーケンス転送方法。
（項目１５）
前記少なくとも１つ以上のコードシーケンスが、前記基本コードシーケンスを位相回転単位（ｃｉｒｃｕｌａｒ  ｓｈｉｆｔ  ｕｎｉｔ）の整数倍だけ位相回転させたものであることを特徴とする、項目１０に記載のコードシーケンス転送方法。
（項目１６）
無線通信システムにおけるコードシーケンス転送方法であって、
第１コードシーケンスを少なくとも１回以上反復して連結することによって反復コードシーケンスを生成する段階と、
前記反復コードシーケンスの後端部の一定部分を複写（ｃｏｐｙ）し、前記反復コードシーケンスの前端部に連結させることによってＣＰ（ｃｙｃｌｉｃ  ｐｒｅｆｉｘ）を生成する段階と、
前記ＣＰの生成された反復コードシーケンスを受信側に転送する段階と、
を含むことを特徴とする、コードシーケンス転送方法。
（項目１７）
前記反復コードシーケンスが、ランダムアクセスチャネルを通じてプリアブルとして転送されることを特徴とする、項目１６に記載のコードシーケンス転送方法。
（項目１８）
多重搬送波システムにおけるランダムアクセスチャネル（ＲＡＣＨ）割当方法であって、
各フレームに割り当てられるランダムアクセスチャネルの周波数帯域が互いに重畳しないように少なくとも２つ以上の連続したフレームのそれぞれにランダムアクセスチャネルを割り当てる段階と、
前記各フレームに割り当てられるランダムアクセスチャネルの割当情報を少なくとも１つ以上の端末に転送する段階と、
を含むことを特徴とする、ランダムアクセスチャネル割当方法。
（項目１９）
前記少なくとも２つ以上の連続したフレームに割り当てられるランダムアクセスチャネルの周波数帯域パターンが、周期的に反復されることを特徴とする、項目１８に記載のランダムアクセスチャネル割当方法。
（項目２０）
前記割当情報が、前記少なくとも２つ以上の連続したフレームに割り当てられたランダムアクセスチャネルの周波数帯域のホッピングパターン（ｈｏｐｐｉｎｇ  ｐａｔｔｅｒｎ）を含むことを特徴とする、項目１８に記載のランダムアクセスチャネル割当方法。
（項目２１）
全体ランダムアクセスチャネルが、前記少なくとも２つ以上の連続したフレームのそれぞれに均等に割り当てられることを特徴とする、項目１８に記載のランダムアクセスチャネル割当方法。
（項目２２）
ランダムアクセスチャネルが割り当てられた少なくとも１つ以上のサブフレームに端末がパイロット信号を転送するためのチャネル領域を割り当てる段階をさらに含むことを特徴とする、項目１８に記載のランダムアクセスチャネル割当方法。
（項目２３）
前記ランダムアクセスチャネルを通じてランダムアクセスを試みる端末が、前記チャネル領域を通じてパイロット信号を転送することを特徴とする、項目２２に記載のランダムアクセスチャネル割当方法。
（項目２４）
無線通信システムにおけるコードシーケンスを通じたデータ転送方法であって、
入力データ列を少なくとも１つ以上のビットからなる複数のブロックにグルーピングし、各ブロックを対応するシグネチャーシーケンスにマッピングする段階と、
前記複数のブロックがマッピングされたシグネチャーシーケンス列（ｓｉｇｎａｔｕｒｅ  ｓｅｑｕｅｎｃｅ  ｓｔｒｅａｍ）に特定コードシーケンスを乗算する段階と、
前記特定コードシーケンスの乗算されたシグネチャーシーケンス列を受信側に転送する段階と、
を含むことを特徴とする、データ転送方法。
（項目２５）
前記特定コードシーケンスが、単一ＣＡＺＡＣシーケンス（ｓｉｎｇｌｅ  ＣＡＺＡＣ
ｓｅｑｕｅｎｃｅ）であることを特徴とする、項目２４に記載のデータ転送方法。
（項目２６）
前記特定コードシーケンスが、少なくとも２つ以上の相異なるＣＡＺＡＣシーケンスが連結（ｃｏｎｃａｔｅｎａｔｉｏｎ）されたシーケンスであることを特徴とする、項目２４に記載のデータ転送方法。
（項目２７）
前記シグネチャーシーケンスが、指数シーケンス（ｅｘｐｏｎｅｎｔｉａｌ  ｓｅｑｕｅｎｃｅ）であることを特徴とする、項目２４に記載のデータ転送方法。
（項目２８）
前記シグネチャーシーケンスが、ハダマードシーケンスであることを特徴とする、項目２４に記載のデータ転送方法。
（項目２９）
前記複数のブロックがマッピングされたシグネチャーシーケンス列の長さを前記特定コードシーケンスの長さに整合させるために各シグネチャーシーケンスを反復する段階をさらに含むことを特徴とする、項目２４に記載のデータ転送方法。
（項目３０）
前記シグネチャーシーケンスマッピングは、グレーマッピング（Ｇｒａｙ  ｍａｐｐｉｎｇ）であることを特徴とする、項目２４に記載のデータ転送方法。
上記の目的を達成すするための本発明の一様相として、本発明によるデータ転送方法は、無線通信システムにおけるランダムアクセスチャネルを通じたデータ転送方法において、コードシーケンスに指数シーケンスを乗算することによって新たなコードシーケンスを生成する段階と、前記新たなコードシーケンスを受信側に転送する段階と、を含む。
【国際調査報告】
2009540665.tif 000038
2009540665.tif 000039